(57)【要約】【課題】本発明の課題は、付与弾数の記憶、符号の電子化によるヒューマンエラーの低減が可能となり、操作性向上・自動化の追及による隊力支援の負荷軽減の効果が期待できる弾数蓄積装置を提供することにある。【解決手段】本発明は、小火器に装着可能な弾数蓄積装置１１であって、射撃時の爆炎発光波長を検出できる射撃検知部１２と、前記射撃検知部１２による検出事象をログとして記録し、記録情報から射撃弾数を算出し、表示する弾数蓄積部１３とを具備することを特徴とするものである。【選択図】図１
2007240039.tif 000002
【特許請求の範囲】
【請求項１】
小火器に装着可能な弾数蓄積装置であって、
射撃時の爆炎発光波長、熱、及び弾丸のうち少なくとも一つを検出できる検出手段と、
前記検出手段による検出事象をログとして記録する記録手段と、
前記記録手段の記録情報から射撃弾数を算出し、表示する表示手段と
を具備することを特徴とする弾数蓄積装置。
【請求項２】
小火器に装着可能な弾数蓄積装置であって、
射撃時の爆炎発光波長、熱、及び弾丸のうち少なくとも２つ以上を検出できる検出手段と、
前記検出手段による検出事象をログとして記録する記録手段と、
前記記録手段の記録情報から射撃弾数を算出し、表示する表示手段と
を具備することを特徴とする弾数蓄積装置。
【請求項３】
請求項１又は２に記載の弾数蓄積装置であって、
検出手段と記録手段、表示手段を、一つの筐体にまとめて構成した一体型、あるいは別の筐体に構成した分離型にして、小火器に装着することを特徴とする弾数蓄積装置。
【請求項４】
請求項１又は２に記載の弾数蓄積装置において、
射撃時の爆炎発光波長を検出する検出手段として、主センサはソーラーブラインド領域にある紫外線センサを用い、副センサに赤外線センサを用いることを特徴とする弾数蓄積装置。
【請求項５】
請求項１又は２に記載の弾数蓄積装置において、
射撃時の熱を検出する検出手段として、熱電対センサを用いることを特徴とする弾数蓄積装置。
【請求項６】
請求項１又は２に記載の弾数蓄積装置において、
射撃時の弾丸を検出する検出手段として、ループコイル式磁気センサ、あるいは透過型／反射型赤外線センサを用いることを特徴とする弾数蓄積装置。
【請求項７】
請求項１乃至６のいずれかに記載の弾数蓄積装置と、
前記弾数蓄積装置に初期設定データを登録し、且つ前記弾数蓄積装置の訓練情報を収集する情報登録管理装置と、
前記情報登録管理装置の初期設定データを前記弾数蓄積装置に転送し、且つ前記弾数蓄積装置の訓練情報を前記情報登録管理装置に転送する情報集配器と
を具備することを特徴とする射撃管理システム。
【発明の詳細な説明】
【技術分野】
【０００１】
本発明は、小火器射撃訓練において射撃弾数を正確に累積し、支給弾薬が確実に射耗されていることを明確にし、訓練の効率性を図ると共に、実際的な訓練環境を構築する弾数蓄積装置及び前記弾数蓄積装置を用いた射撃管理システムに関するものである。
【背景技術】
【０００２】
小火器射撃訓練において、実弾の紛失という社会問題を防止するため、射撃前に弾薬係が開梱直後の実弾数を確認し、射撃訓練後は撃ち殻薬莢を回収・数量確認を実施することで、実弾が紛失しないことを確認している。交付した実弾数と、撃ち殻薬莢の数が一致すれば問題ないが、不符号が生じた場合、紛失弾が実包／空包なのか撃ち殻薬莢なのかが不明確である等の理由から徹底した捜索を実施しており、この捜索が長期にわたれば隊務運営に重大な影響を及ぼすこととなる。また、紛失弾を回避するため、部隊等においては射手１名につき射撃係、安全係、薬莢回収員等を配置しており、訓練の効率性に影響を及ぼしている。
【０００３】
従来、銃の射撃訓練において発射弾数を計数し管理するために使用する発射弾数カウンタが提案されている（例えば、特許文献１参照。）。
【０００４】
前記発射弾数カウンタは、射撃した弾数をカウントしていく方式となっており、発射時の衝撃、音、光、及び衝撃波を検出する方式を用いている。
【特許文献１】特開２００５−１５６０１２号公報
【発明の開示】
【発明が解決しようとする課題】
【０００５】
本発明は上記の事情に鑑みてなされたもので、付与弾数の記憶、符号の電子化によるヒューマンエラーの低減が可能となり、操作性向上・自動化の追及による隊力支援の負荷軽減の効果が期待できる弾数蓄積装置及び前記弾数蓄積装置を用いた射撃管理システムを提供することを目的とする。
【課題を解決するための手段】
【０００６】
上記目的を達成するために本発明は、小火器に装着可能な弾数蓄積装置であって、射撃時の爆炎発光波長、熱、及び弾丸のうち少なくとも一つを検出できる検出手段と、前記検出手段による検出事象をログとして記録する記録手段と、前記記録手段の記録情報から射撃弾数を算出し、表示する表示手段とを具備することを特徴とするものである。
【０００７】
また本発明は、小火器に装着可能な弾数蓄積装置であって、射撃時の爆炎発光波長、熱、及び弾丸のうち少なくとも２つ以上を検出できる検出手段と、前記検出手段による検出事象をログとして記録する記録手段と、前記記録手段の記録情報から射撃弾数を算出し、表示する表示手段とを具備することを特徴とするものである。
【０００８】
また本発明は、前記弾数蓄積装置であって、検出手段と記録手段、表示手段を、一つの筐体にまとめて構成した一体型、あるいは別の筐体に構成した分離型にして、小火器に装着することを特徴とするものである。
【０００９】
また本発明は、前記弾数蓄積装置において、射撃時の爆炎発光波長を検出する検出手段として、主センサはソーラーブラインド領域にある紫外線センサを用い、副センサに赤外線センサを用いることを特徴とするものである。
【００１０】
また本発明は、前記弾数蓄積装置において、射撃時の熱を検出する検出手段として、熱電対センサを用いることを特徴とするものである。
【００１１】
また本発明は、前記弾数蓄積装置において、射撃時の弾丸を検出する検出手段として、ループコイル式磁気センサ、あるいは透過型／反射型赤外線センサを用いることを特徴とするものである。
【００１２】
また本発明の射撃管理システムは、前記いずれかの弾数蓄積装置と、前記弾数蓄積装置に初期設定データを登録し、且つ前記弾数蓄積装置の訓練情報を収集する情報登録管理装置と、前記情報登録管理装置の初期設定データを前記弾数蓄積装置に転送し、且つ前記弾数蓄積装置の訓練情報を前記情報登録管理装置に転送する情報集配器とを具備することを特徴とするものである。
【発明の効果】
【００１３】
本発明の弾数蓄積装置及び射撃管理システムは、小火器射撃訓練において射撃弾数を正確に累積し、支給弾薬が確実に射耗されていることを明確にし、訓練の効率性を図ると共に、実際的な訓練環境を構築する。また、付与弾数の記憶、符号の電子化によるヒューマンエラーの低減が可能となり、操作性向上・自動化の追及による隊力支援の負荷軽減の効果が期待できる。
【発明を実施するための最良の形態】
【００１４】
以下図面を参照して本発明の実施の形態を詳細に説明する。
【００１５】
図１は本発明の第1の実施形態に係る弾数蓄積装置を示す構成説明図である。図１において、弾数蓄積装置１１は射撃検知部１２及び弾数蓄積部１３より構成され、前記射撃検知部１２は光波検出部１４、及びＩ／Ｖ変換アンプ１５，１６、補助センサ１７、調整回路１８より構成される。前記光波検出部１４は主センサの２個の紫外線センサ１９及び副センサの２個の赤外線センサ２０より構成される。前記弾数蓄積部１３はＡ／Ｄ変換器２１，２２，２３、閾値比較回路２４、射撃事象制御回路２５、メモリ２６、射撃事象処理回路２７、表示・ブザー制御回路２８、ブザー２９、弾数表示器３０、表示スイッチ３１、初期設定回路３２、蓄積データ出力回路３３、及び外部Ｉ／Ｆ３４より構成される。
【００１６】
すなわち、紫外線センサ１９には、射撃時に発生する爆炎発光波長のうち２９０ｎｍ以下のソーラーブラインド波長領域の紫外線成分の有無を検出するフォトダイオードを使用する。このような紫外線センサ１９を用いることにより、閾値レベルを設定することなく、紫外線成分の有無を検出することができる。また、赤外線センサ２０には、太陽光の分光放射照度が小さい７６０ｎｍ付近や１４００ｎｍ付近、１９００ｎｍ付近の赤外線成分の有無を検出するようにフォトダイオード及びバンドパスフィルタを組み合せて使用する。このような赤外線センサ２０を使用することにより、小火器毎に決められた閾値を設ける必要はなく、外来ノイズ（太陽光等）の閾値レベルの設定のみで赤外線成分の有無を検出できる。主センサにソーラーブラインド波長領域にある紫外線センサ１９を用い、副センサに赤外線センサ２０を用いることにより、光波検出誤りを低減でき、更に同一のセンサを並列的に組合せることにより冗長系となる。
【００１７】
前記紫外線センサ１９からの信号電流はＩ／Ｖ変換アンプ１５に出力され、Ｉ／Ｖ変換アンプ１５に入力された信号電流は電流に応じた値の信号電圧に変換されてＡ／Ｄ変換器２１に出力される。Ａ／Ｄ変換器２１に入力された信号電圧は電圧に応じた値のデジタル信号に変換されて射撃事象制御回路２５に出力される。
【００１８】
前記赤外線センサ２０からの信号電流はＩ／Ｖ変換アンプ１６に出力され、Ｉ／Ｖ変換アンプ１６に入力された信号電流は電流に応じた値の信号電圧に変換されてＡ／Ｄ変換器２２に出力される。Ａ／Ｄ変換器２２に入力された信号電圧は電圧に応じた値のデジタル信号に変換されて閾値比較回路２４に出力される。閾値比較回路２４には射撃事象制御回路２５より外来ノイズ（太陽光等）の閾値レベルの設定がされているため、閾値比較回路２４から閾値レベルと比較したデジタル信号が射撃事象制御回路２５に出力される。閾値比較回路２４の閾値レベルは可変することができる。射撃事象制御回路２５には外来ノイズ（太陽光等）と比較したデジタル信号が入力される。
【００１９】
前記射撃事象制御回路２５では射撃の有無を常時監視しており、入力されたデジタル信号により射撃を検知した場合にフラグが立ち、その検出事象がログとしてメモリ２６に直接記録される。メモリ２６には射撃時の時間、弾数等の必要情報が記録される。射撃事象処理回路２７は射撃事象制御回路２５を介してメモリ２６にログとして直接記録された事象を読み出して処理することで何発射撃したかを算出し、表示・ブザー制御回路２８へ出力する。表示・ブザー制御回路２８は表示スイッチ３１をオンした場合に弾数表示器３０へ何発射撃したかの算出結果を出力して表示する。表示スイッチ３１がオフの場合、弾数表示器３０は表示されず、これにより省電力化を図る。ブザー２９は初期設定時、電池残量、電池挿入時等の聴覚確認が必要な場合に使用され、それぞれの動作で各現示音が鳴動する。
【００２０】
外部Ｉ／Ｆ３４は外部の情報集配器との無線データ通信に用いられるインターフェースで、外部の情報集配器から転送された初期設定データ（訓練者、付与弾数、弾種等の必要情報）を受信し、初期設定回路３２及び射撃事象制御回路２５を介してメモリ２６に記録する。また、外部Ｉ／Ｆ３４はメモリ２６に記録された訓練終了後の訓練情報（訓練時の射撃蓄積情報や残弾数等の必要情報）を蓄積データ出力回路３３及び射撃事象制御回路２５を介して読み出し、外部の情報集配器に送信する。ここで用いられる無線データ通信は赤外線通信を想定しているが、その他の無線通信手段でも代替可能である。
【００２１】
尚、補助センサ１７として、第２の実施形態に係る熱検出の熱電対センサ、第３の実施形態に係る弾丸検出のループコイル式磁気センサ、あるいは第４の実施形態に係る弾丸検出の透過型／反射型赤外線センサを用いてもよく、この場合、調整回路１８として、センサに合わせた熱電対アンプ、アンプ、あるいはＩ／Ｖ変換アンプを用いることができる。補助センサ１７で検出されたアナログ信号は調整回路１８で調整された後、Ａ／Ｄ変換器２３でデジタル信号に変換され、閾値比較回路３５を介して射撃事象制御回路２５に出力される。
【００２２】
射撃検知部１２として、複数のセンサを用いるのは誤検出を無くすためである。センサ単体で射撃以外の影響を受ける場合、または実砲弾のみしか検出できず空砲弾も検出したい場合は補助センサを組合せ、検出精度を向上させる。
【００２３】
尚、Ａ／Ｄ変換器２１の代わりに、コンパレータを用いてもよく、コンパレータからの出力の有無により紫外線成分の有無を検出するようにしてもよい。
【００２４】
図２は本発明の第２の実施形態に係る弾数蓄積装置を示す構成説明図である。図２中、図１と同一部分は同一符号を付してその説明を省略する。図２において、弾数蓄積装置４１は射撃検知部４２及び弾数蓄積部４３より構成され、前記射撃検知部４２は熱電対センサ４４、熱電対アンプ４５、補助センサ４６、及び調整回路４７より構成される。前記弾数蓄積部４３にはＡ／Ｄ変換器４８、閾値比較回路４９、及びＡ／Ｄ変換器５０が設けられる。
【００２５】
すなわち、熱電対センサ４４は、銃先端に銃口に沿って設けられ、射撃時の爆炎の熱を検出する。また、熱電対センサ４４は、銃身に取り付け、銃身の温度変化を検出するようにしてもよい。
【００２６】
前記熱電対センサ４４からの信号電流は熱電対アンプ４５に出力され、熱電対アンプ４５に入力された信号電流は電流に応じた値の信号電圧に変換されてＡ／Ｄ変換器４８に出力される。Ａ／Ｄ変換器４８に入力された信号電圧は電圧に応じた値のデジタル信号に変換されて閾値比較回路４９に出力される。閾値比較回路４９には射撃事象制御回路２５より外来ノイズ（太陽熱等）の閾値レベルの設定がされているため、閾値比較回路４９から閾値レベルと比較したデジタル信号が射撃事象制御回路２５に出力される。閾値比較回路４９の閾値レベルは可変することができる。射撃事象制御回路２５には外来ノイズ（太陽熱等）と比較したデジタル信号が入力される。
【００２７】
尚、補助センサ４６として、第１の実施形態に係る光検出の紫外線センサ、第３の実施形態に係る弾丸検出のループコイル式磁気センサ、あるいは第４の実施形態に係る弾丸検出の透過型／反射型赤外線センサを用いてもよく、この場合、調整回路１８として、センサに合わせたアンプ、あるいはＩ／Ｖ変換アンプを用いることができる。補助センサ４６で検出されたアナログ信号は調整回路４７で調整された後、Ａ／Ｄ変換器５０でデジタル信号に変換され、閾値比較回路３６を介して射撃事象制御回路２５に出力される。
【００２８】
射撃検知部４２として、複数のセンサを用いるのは誤検出を無くすためである。
【００２９】
図３は本発明の第３の実施形態に係る弾数蓄積装置を示す構成説明図である。図３中、図１と同一部分は同一符号を付してその説明を省略する。図３において、弾数蓄積装置５１は射撃検知部５２及び弾数蓄積部５３より構成され、前記射撃検知部５２はループコイル式磁気センサ５４、アンプ５５、補助センサ５６、及び調整回路５７より構成される。前記弾数蓄積部５３にはＡ／Ｄ変換器５８、閾値比較回路５９、及びＡ／Ｄ変換器６０が設けられる。
【００３０】
すなわち、ループコイル式磁気センサ５４は、銃口を囲むように設けられた環状磁心に巻かれたループコイルを用いる。励磁コイルにて電流磁場を発生させ、励磁コイル内を弾丸が通過することにより電流磁場が変化し、検出コイルの誘導起電力の変化を検出する。
【００３１】
前記ループコイル式磁気センサ５４からの信号電流はアンプ５５に出力され、アンプ５５に入力された信号電流は増幅されてＡ／Ｄ変換器５８に出力される。Ａ／Ｄ変換器５８に入力された信号電圧は電圧に応じた値のデジタル信号に変換されて閾値比較回路５９に出力される。閾値比較回路５９には射撃事象制御回路２５より誘起起電力の変化を検出できる閾値レベルの設定がされているため、閾値比較回路５９から閾値レベルと比較したデジタル信号が射撃事象制御回路２５に出力される。閾値比較回路５９の閾値レベルは可変することができる。射撃事象制御回路２５には閾値レベルと比較したデジタル信号が入力される。
【００３２】
尚、補助センサ５６として、第１の実施形態に係る光検出の紫外線センサ、第２の実施形態に係る熱検出の熱電対センサ、あるいは第４の実施形態に係る弾丸検出の透過型／反射型赤外線センサを用いてもよく、この場合、調整回路５７として、センサに合わせた熱電対アンプ、あるいはＩ／Ｖ変換アンプを用いることができる。補助センサ５６で検出されたアナログ信号は調整回路５７で調整された後、Ａ／Ｄ変換器６０でデジタル信号に変換され、閾値比較回路３７を介して射撃事象制御回路２５に出力される。
【００３３】
射撃検知部５２として、複数のセンサを用いるのは誤検出を無くすためである。
【００３４】
図４は本発明の第４の実施形態に係る弾数蓄積装置を示す構成説明図である。図４中、図１と同一部分は同一符号を付してその説明を省略する。図４において、弾数蓄積装置６１は射撃検知部６２及び弾数蓄積部６３より構成され、前記射撃検知部６２は透過型／反射型赤外線センサ部６４、赤外ＬＥＤ６５、ＬＥＤ駆動回路６６、赤外線センサ６７、Ｉ／Ｖ変換アンプ６８、補助センサ６９、及び調整回路７０より構成される。前記弾数蓄積部６３にはＡ／Ｄ変換器７１、閾値比較回路７２、及びＡ／Ｄ変換器７３が設けられる。
【００３５】
すなわち、透過型／反射型赤外線センサ部６４が透過型赤外線センサ部の場合は、銃先端に銃口を挟んで赤外線送信部の赤外ＬＥＤ６５と赤外線受信部の赤外線センサ６７を取り付け、ＬＥＤ駆動回路６６で駆動された赤外ＬＥＤ６５から発生した赤外線が赤外線センサ６７で受光される。この状態で銃から弾丸が射出されると、弾丸が赤外線を遮断することにより、赤外線センサ６７で受光する赤外線も遮断されることから、弾丸が射出されたことを検知することができる。また、透過型／反射型赤外線センサ部６４が反射型赤外線センサ部の場合は、銃先端に銃口に沿って赤外ＬＥＤ６５及び赤外線センサ６７を一体にした送受信一体型の赤外線送受信部を取り付け、ＬＥＤ駆動回路６６で駆動された赤外ＬＥＤ６５から発生した赤外線が弾丸により反射され、反射した光を赤外線センサ６７で受光することにより電流が発生することから、弾丸が射出されたことを検知することができる。
【００３６】
前記赤外線センサ６７からの信号電流はＩ／Ｖ変換アンプ６８に出力され、Ｉ／Ｖ変換アンプ６８に入力された信号電流は電流に応じた値の信号電圧に変換されてＡ／Ｄ変換器７１に出力される。Ａ／Ｄ変換器７１に入力された信号電圧は電圧に応じた値のデジタル信号に変換されて閾値比較回路７２に出力される。閾値比較回路７２には射撃事象制御回路２５より外来ノイズ（太陽光等）の閾値レベルの設定がされているため、閾値比較回路７２から閾値レベルと比較したデジタル信号が射撃事象制御回路２５に出力される。閾値比較回路７２の閾値レベルは可変することができる。射撃事象制御回路２５には外来ノイズ（太陽光等）と比較したデジタル信号が入力される。
【００３７】
尚、補助センサ６９として、第１の実施形態に係る光検出の紫外線センサ、第２の実施形態に係る熱検出の熱電対センサ、あるいは第３の実施形態に係る弾丸検出のループコイル式磁気センサを用いてもよく、この場合、調整回路６０として、センサに合わせたＩ／Ｖ変換アンプ、熱電対アンプ、あるいはアンプを用いることができる。補助センサ６９で検出されたアナログ信号は調整回路７０で調整された後、Ａ／Ｄ変換器７３でデジタル信号に変換され、閾値比較回路３８を介して射撃事象制御回路２５に出力される。
【００３８】
射撃検知部６２として、複数のセンサを用いるのは誤検出を無くすためである。
【００３９】
図５は本発明の実施形態に係る分離型弾数蓄積装置の小銃への装着例を示す構成説明図である。すなわち、分離型弾数蓄積装置は射撃検知部８１と弾数蓄積部８２を別の筐体に設けたもので、この場合には射撃検知部８１は小銃８３の先端部に取り付けられ、弾数蓄積部８２は小銃８３の中央部に取り付けられる。
【００４０】
図６は本発明の実施形態に係る一体型弾数蓄積装置の小銃への装着例を示す構成説明図である。すなわち、一体型弾数蓄積装置８４は射撃検知部と弾数蓄積部を一つの筐体に設けたもので、この場合には一体型弾数蓄積装置８４は小銃８３の先端部に取り付けられる。
【００４１】
図７は本発明の実施形態に係る分離型弾数蓄積装置の拳銃への装着例を示す構成説明図である。すなわち、分離型弾数蓄積装置は射撃検知部９１と弾数蓄積部９２を別の筐体に設けたもので、この場合には射撃検知部９１は拳銃９３の先端部に取り付けられ、弾数蓄積部９２はベルト等を使用して人体へ装着される。
【００４２】
図８は本発明の実施形態に係る一体型弾数蓄積装置の拳銃への装着例を示す構成説明図である。すなわち、一体型弾数蓄積装置１０１は射撃検知部と弾数蓄積部を一つの筐体に設けたもので、この場合には一体型弾数蓄積装置１０１は拳銃９３の先端部に取り付けられる。
【００４３】
図９は本発明の実施形態に係る射撃管理システムを示す系統図であり、図１０は本発明の実施形態に係る情報登録管理装置または情報集配器を示す構成説明図である。図９に示すように、射撃管理システムは、訓練員が所持する小銃８３に装着された射撃検知部８１と弾数蓄積部８２よりなる分離型弾数蓄積装置１１１、訓練センタに配置される情報登録管理装置（ポータブル・パーソナル・コンピュータ等）１１２、及び補助官が所持する情報集配器（携帯型端末等）１１３より構成される。
【００４４】
前記情報登録管理装置１１２及び情報集配器１１３はそれぞれ図１０に示すように、中央演算処理ユニット（ＣＰＵ）１１４、外部Ｉ／Ｆ１１５、記憶部１１６、キー入力部１１７、及び表示部１１８より構成される。
【００４５】
次に、情報登録管理装置１１２について説明する。
【００４６】
ＣＰＵ１１４は記憶部１１６に格納されているアプリケーション・プログラムにより、訓練開始前に各小銃８３の弾数蓄積装置１１１毎に初期設定データ（訓練者、付与弾数、弾種等の必要情報）を登録し、訓練終了後に各小銃８３の弾数蓄積装置１１１毎の訓練情報（訓練時の射撃蓄積情報や残弾数等の必要情報）を収集し、全てを一つに纏めるなど、行われた訓練毎の訓練管理簿の作成処理を行う。訓練開始前及び訓練終了後の動作を説明する。
【００４７】
［情報登録管理装置１１２の訓練開始前］
キー入力部１１７から実施する射撃試験の初期設定データとして訓練者、付与弾数、弾種等の必要情報が入力され、記憶部１１６に記録される。記録した初期設定データを情報集配器１１３に送信するため、情報登録管理装置１１２のキー入力部１１７からデータ送受信を設定し、外部Ｉ／Ｆ１１５で無線データ通信等により初期設定データを情報集配器１１３に送信する。
【００４８】
［情報登録管理装置１１２の訓練終了後］
情報集配器１１３から各小銃８３の弾数蓄積装置１１１毎の訓練情報を収集するため、キー入力部１１７からデータ送受信を設定し、外部Ｉ／Ｆ１１５で無線データ通信等により訓練情報として訓練時の射撃蓄積情報や残弾数等の必要情報を受信して収集する。収集した訓練情報は記憶部１１６に記録され、訓練開始前のデータ、訓練終了後のデータを訓練管理簿に纏めて終了となる。
【００４９】
尚、表示部１１８は常時表示されており、各種設定や送受信等の状態を確認できる。また、訓練管理簿はキー入力部１１７からの出力設定により、図示しないプリンタへの出力や外部記録媒体への保存ができる。
【００５０】
次に、情報集配器１１３について説明する。
【００５１】
ＣＰＵ１１４は記憶部１１６に格納されているアプリケーション・プログラムにより、情報登録管理装置１１２からの初期設定データを各小銃８３の弾数蓄積装置１１１毎に転送すると共に、各小銃８３の弾数蓄積装置１１１毎の訓練情報を情報登録管理装置１１２に転送する。訓練開始前及び訓練終了後の動作を説明する。
【００５２】
［情報集配器１１３の訓練開始前］
情報登録管理装置１１２から訓練者名簿等の初期設定データを受信するため、情報集配器１１３のキー入力部１１７からデータ送受信を設定し、外部Ｉ／Ｆ１１５の無線データ通信等により情報登録管理装置１１２から初期設定データを受信して記憶部１１６に記録する。情報集配器１１３のキー入力部１１７により記憶部１１６に記録された初期設定データを開き、キー入力部１１７から各小銃８３の弾数蓄積装置１１１毎に設定する初期設定データを選択し、キー入力部１１７からデータ送受信を設定し、外部Ｉ／Ｆ１１５の無線データ通信等により各小銃８３の弾数蓄積装置１１１毎に初期設定データを送信する。
【００５３】
［情報集配器１１３の訓練終了後］
情報集配器１１３のキー入力部１１７からデータ送受信を設定し、外部Ｉ／Ｆ１１５の無線データ通信等により各小銃８３の弾数蓄積装置１１１毎の訓練情報を受信して記憶部１１６に記録する。情報集配器１１３のキー入力部１１７により記憶部１１６に記録された訓練情報を開き、情報集配器１１３のキー入力部１１７からデータ送受信を設定し、外部Ｉ／Ｆ１１５の無線データ通信等により訓練情報を情報登録管理装置１１２へ転送する。
【００５４】
尚、表示部１１８は常時表示されており、各種設定や送受信等の状態を確認できる。
【００５５】
次に、射撃管理システムについて説明する。
【００５６】
訓練開始前に各訓練員は小銃８３に弾数蓄積装置１１１を取り付け、弾数蓄積装置１１１に電池を入れ、電池残量等の動作確認を行う。情報登録管理装置１１２は初期設定データの登録を行い、その初期設定データを記憶部１１６に記録する。情報登録管理装置１１２から初期設定データを無線データ通信等により補助官が管理する情報集配器１１３へ転送し、情報集配器１１３から初期設定データが無線データ通信等により各訓練員の弾数蓄積装置１１１毎に転送され、各訓練員の弾数蓄積装置１１１毎に初期設定データの設定が行われる。各訓練員は初期設定データが弾数蓄積装置１１１に正常に設定されたか表示スイッチ３１をオンして表示器３０に表示して確認し、初期設定データが正常に設定されていれば訓練を開始する。訓練中は弾数蓄積装置１１１により射撃検出事象をログとして記録する。訓練中にも射撃弾数を確認でき、弾数を表示する場合は表示スイッチ３１をオンして表示器３０により確認することが可能である。訓練終了後、各訓練員は弾数蓄積装置１１１を小銃８３から取り外す。弾数蓄積装置１１１の蓄積情報が情報集配器１１３により無線データ通信等で収集される。情報集配器１１３で収集された蓄積情報は情報登録管理装置１１２に無線データ通信等により転送される。情報登録管理装置１１２には残弾情報が入力され、訓練中に記録した射撃事象から射耗弾数を計数し、射耗弾数と残弾数の合計が訓練開始前に設定した付与弾数と一致することを確認する。このように、基本射場、戦闘射場及び市街地訓練射場での射撃訓練における弾薬支給、射撃弾数の累積及び収集、射耗弾薬の符号に関する弾薬管理を行うことができる。
【００５７】
なお、本発明は、上記実施形態例そのままに限定されるものではなく、実施段階ではその要旨を逸脱しない範囲で構成要素を変形して具体化できる。また、上記実施形態例に開示されている複数の構成要素の適宜な組み合せにより種々の発明を形成できる。例えば、実施形態例に示される全構成要素から幾つかの構成要素を削除してもよい。更に、異なる実施形態例に亘る構成要素を適宜組み合せてもよい。
【図面の簡単な説明】
【００５８】
【図１】本発明の第1の実施形態に係る弾数蓄積装置を示す構成説明図である。
【図２】本発明の第２の実施形態に係る弾数蓄積装置を示す構成説明図である。
【図３】本発明の第３の実施形態に係る弾数蓄積装置を示す構成説明図である。
【図４】本発明の第４の実施形態に係る弾数蓄積装置を示す構成説明図である。
【図５】本発明の実施形態に係る分離型弾数蓄積装置の小銃への装着例を示す構成説明図である。
【図６】本発明の実施形態に係る一体型弾数蓄積装置の小銃への装着例を示す構成説明図である。
【図７】本発明の実施形態に係る分離型弾数蓄積装置の拳銃への装着例を示す構成説明図である。
【図８】本発明の実施形態に係る一体型弾数蓄積装置の拳銃への装着例を示す構成説明図である。
【図９】本発明の実施形態に係る射撃管理システムを示す系統図である。
【図１０】本発明の実施形態に係る情報登録管理装置または情報集配器を示す構成説明図である。
【符号の説明】
【００５９】
１１…弾数蓄積装置、１２…射撃検知部、１３…弾数蓄積部、１４…光波検出部、１５，１６…Ｉ／Ｖ変換アンプ、１７…補助センサ、１８…調整回路、１９…紫外線センサ、２０…赤外線センサ、２１，２２，２３…Ａ／Ｄ変換器、２４…閾値比較回路、２５…射撃事象制御回路、２６…メモリ、２７…射撃事象処理回路、２８…表示・ブザー制御回路、２９…ブザー、３０…弾数表示器、３１…表示スイッチ、３２…初期設定回路、３３…蓄積データ出力回路、３４…外部Ｉ／Ｆ。
【図１】
2007240039.tif 000003
【図２】
2007240039.tif 000004
【図３】
2007240039.tif 000005
【図４】
2007240039.tif 000006
【図５】
2007240039.tif 000007
【図６】
2007240039.tif 000008
【図７】
2007240039.tif 000009
【図８】
2007240039.tif 000010
【図９】
2007240039.tif 000011
【図１０】
2007240039.tif 000012